(57)【要約】【課題】吸込まれた空気に含有される塵埃をコロナ放電により帯電させるアイオナイザに塵、埃等の塵埃が付着しても、常に安定した放電を行えるようにした空気清浄器を提供する。【解決手段】コロナ放電を行うアイオナイザ１５を、上下方向に、回動自在に軸支された軸１６と、同軸１６に上下に複数配設され、基部と同基部の側面から突設された複数の電極針とからなる放電電極１７と、これらの周囲を回動する網体からなり円筒状に形成された対向電極１８とで構成することにより、汚れあるいは塵埃の付着していない部位で常時安定したコロナ放電を行うようにする。【選択図】  図１
2004251536.tif 000002
【特許請求の範囲】
【請求項１】
吸込口と吹出口とを備えた本体と、前記吸込口と前記吹出口を結ぶ空気通路に上流側から下流側に向けて順次配設された、塵埃をコロナ放電により帯電させるとともに回動自在に立設された軸に装着される放電電極と、帯電した塵埃を補集、捕獲する集塵フィルターと、同集塵フィルターにより清浄化された空気を外部に送出する送風ファンと、導電性の網体からなり前記放電電極と、前記集塵フィルターと、前記送風ファンとを囲繞するように回動自在に設けられ前記放電電極からのコロナ放電を受ける円筒状の対向電極とからなることを特徴とする空気清浄器。
【請求項２】
前記放電電極が、円盤状の基部と、同基部の側面から放射状に突設された複数の電極針からなることを特徴とする請求項１に記載の空気清浄器。
【請求項３】
前記放電電極が、前記軸に上下に複数装着されてなることを特徴とする請求項２に記載の空気清浄器。
【請求項４】
前記対向電極が、前記本体内に上下に相対向して設けられた断面コ字状の上部ガイドレールと下部ガイドレールとにより摺動自在且つ回動自在に支持されてなることを特徴とする請求項１に記載の空気清浄器。
【請求項５】
前記放電電極を装着した前記軸の下端を、第一モータに連結し回動させてなることを特徴とする請求項３に記載の空気清浄器。
【請求項６】
前記対向電極の下端内壁面に、多数の歯車を形成したラックを設け、前記本体の下部に前記ラックに歯合する歯車を備えた第二モータを設けてなることを特徴とする請求項１に記載の空気清浄器。
【請求項７】
前記本体内の一側に、前記対向電極が通過する前面通過口と後面通過口とを備えるとともに、前記対向電極に付着した塵埃を除去するブラシを備えたダストボックスを設けてなることを特徴とする請求項１に記載の空気清浄器。
【請求項８】
前記ダストボックスに備えられたブラシが、前記対向電極の内壁面に対向して設けられた第一ブラシと、外周面に対向して設けられた第二ブラシとからなることを特徴とする請求項７に記載の空気清浄器。
【発明の詳細な説明】
【０００１】
【発明の属する技術分野】
本発明は、電気集塵器を備えた空気清浄器に関わり、より詳細にはアイオナイザを構成する放電電極から対向電極へ安定した放電を行えるようにした構成に関する。
【０００２】
【従来の技術】
従来の空気清浄機は、図３で示すように、縦長状の本体４０内を吸入孔４１ａを穿設した仕切板４１により前後に区画し、本体の前面に上下に形成された複数の桟により吸込口４２を形成し、本体上面に複数の桟により吹出口４３を設けている。本体４０の背面内壁には、前記仕切板４１に穿設された吸入孔４１ａに臨むように送風ファン４４が設けられ、本体４０の前面上部には、高電圧を発生し後述する放電電極に印加する高圧電源５０が設けられている。前記仕切板４１の前面には前記吸込口４２から吸込まれた空気に含有される粒径の比較的大な塵埃を吸着するフィルター４５が装着され、その後方には帯電した塵埃を捕集、吸着する集塵フィルター４６が装着されており、前記吸込口４２の裏面には、棒状に形成され上下方向に平行して並べられた複数の放電電極４８と、平板状に形成され、前記放電電極４８を挟持するように上下方向に平行して並べられた複数の対向電極４９とからなるアイオナイザ４７が設けられている。（特許文献１参照）
【０００３】
前記高圧電源５０から高電圧が前記放電電極４８に印加されると、同放電電極４８と前記対向電極４９との間にコロナ放電が発生し、周囲を通過する空気に含有される塵埃は帯電するようになっており、帯電した塵埃をクーロン力により前記集塵フィルター４６に捕集、捕獲されるようになっている。
【０００４】
しかしながら、前記対向電極４９あるいは前記放電電極４８の表面に塵埃が付着し、これが堆積されるとコロナ放電の電圧が低下し前記集塵フィルター４６に補集、捕獲される塵埃が低減するばかりでなく、放電が不安定となる現象があり対策が求められていた。
【０００５】
【特許文献１】
特開平８−１５５３３６号
【０００６】
【発明が解決しようとする課題】
本発明は上記問題点に鑑み、放電電極及び対向電極の塵埃が付着した部位を、塵埃が付着していない部位に順次切換えられるようにするとともに、対向電極に付着した塵埃を自動的に除去できるようにした空気清浄器を提供することを目的とする。
【０００７】
【課題を解決するための手段】
本発明は上記課題を解決するため、吸込口と吹出口とを備えた本体と、前記吸込口と前記吹出口を結ぶ空気通路に上流側から下流側に向けて順次配設された、塵埃をコロナ放電により帯電させるとともに回動自在に立設された軸に装着される放電電極と、帯電した塵埃を補集、捕獲する集塵フィルターと、同集塵フィルターにより清浄化された空気を外部に送出する送風ファンと、導電性の網体からなり前記放電電極と、前記集塵フィルターと、前記送風ファンとを囲繞するように回動自在に設けられ前記放電電極からのコロナ放電を受ける円筒状の対向電極とからなる構成となっている。
【０００８】
また、前記放電電極が、円盤状の基部と、同基部の側面から放射状に突設された複数の電極針からなる構成となっている。
【０００９】
また、前記放電電極が、前記軸に上下に複数装着されてなる構成となっている。
【００１０】
また、前記対向電極が、前記本体内に上下に相対向して設けられた断面コ字状の上部ガイドレールと下部ガイドレールとにより摺動自在且つ回動自在に支持されてなる構成となっている。
【００１１】
また、前記放電電極を装着した前記軸の下端を、第一モータに連結し回動させてなる構成となっている。
【００１２】
また、前記対向電極の下端内壁面に、多数の歯車を形成したラックを設け、前記本体の下部に前記ラックに歯合する歯車を備えた第二モータを設けてなる構成となっている。
【００１３】
また、前記本体内の一側に、前記対向電極が通過する前面通過口と後面通過口とを備えるとともに、前記対向電極に付着した塵埃を除去するブラシを備えたダストボックスを設けてなる構成となっている。
【００１４】
また、前記ダストボックスに備えられたブラシが、前記対向電極の内壁面に対向して設けられた第一ブラシと、外周面に対向して設けられた第二ブラシとからなる構成となっている。
【００１５】
【発明の実施の形態】
以下、本発明の実施の形態を、添付図面に基づいた実施例として詳細に説明する。
図１は本発明による空気清浄器を示す断面図であり、図２は図１でのＡ−Ａ断面図である。
本発明による空気清浄器は、図１で示すように、ベース１上に、前面が開放され天板を備えた半円状の後部パネル２と後面が開放された半円状の前部パネル３とを載置して本体を構成し、同本体の前面に複数の桟により吸込口７を形成する一方、上面に複数の風向偏向板８ａを備えた吹出口８を形成している。
【００１６】
前記本体内の中央には、中央部に吸込孔４ａを穿設した前板４と、後板５と図２で示す左右の側板４ｂとにより形成される前記吹出口８に連通する送風室１０が設けられ、同送風室１０には前記吸込孔４ａに臨んで前記吹出口８から清浄化された空気を室内に送出する送風ファン１２が設けられている。また本体の前面上部には、後述する放電電極に接続されこれに高電圧を印加する高圧電源１１ａを配設した電源室１１が設けられ、前記送風室１０の前板４により区画される本体の前部区画９の下方は更に仕切板６により上下に区画されている。
【００１７】
前記前板４の前面には、前記吸込口７から吸込まれた空気に含有され帯電した塵埃を補集、捕獲する集塵フィルター１３と、空気中の臭気成分を吸着する脱臭フィルター１４とが順次配設され、前記吸込口７の裏面には塵埃を帯電させるアイオナイザ１５が設けられている。
【００１８】
前記アイオナイザ１５は、上下方向の軸１６と、同軸１６に上下方向に複数装着された放電電極１７と後述する対向電極１８とからなり、同放電電極１７は前記軸１６を介して前記電源室１１に配設された高圧電源１１ａと接続されている。図２で示すように、前記放電電極１７は前記軸１６に固定される円盤状の基部１７ａと、同基部１７ａの側面から放射状に突設された複数の電極針１７ｂとからなり、高圧が印加された前記電極針１７ｂの先端部から対向電極に向かいコロナ放電が発生すると、空気中に含有される塵埃は正側あるいは負側に帯電するようになっている。前記電源室１１の下面には、上部軸受１９ａが設けられ、前記仕切板６には円筒状の下部軸受１９ｂが設けられており、前記軸１６の上端は前記上部軸受１９ａに、下部は前記下部軸受１９ｂに夫々軸支されることにより、前記放電電極１７を複数配設した前記軸１６は回動自在に軸支されている。
【００１９】
前記軸１６の下端は、減速機構を備え前記仕切板６の下面に固定された第一モータ２１に連結され、同第一モータ２１の駆動により前記軸１６と、同軸１６に装着された複数の前記放電電極１７は回動自在となっている。
【００２０】
前記電源室１１の下面前方及び前記仕切板６の上面前方には相対向するように、断面コ字状に形成された円弧状のガイドレール２０ａ及び２０ｂが配設され、同ガイドレール２０ａ及び２０ｂは本体内に円周状に複数配設されている。
【００２１】
対向電極１８は金属からなる導電性の網体からなり図１及び図２で示すように、上下面が開放された円筒状に形成され、前記ガイドレール２０ａに上端縁を、前記ガイドレール２０ｂに下端縁を夫々摺動自在且つ回動自在に支持されるようになっている。前記送風室１０を構成する前記側板４ｂと本体の内壁面との間には、図２で示すように、前記対向電極１８が通過できるように円弧状の隙間が形成されており、これにより前記対向電極１８は本体の内壁面に沿って回動するようになっている。
【００２２】
前記対向電極１８の下端部内壁には、多数の歯車を内側に向かい形成したラック１８ａが設けられ、前記ベース１の後部には、前記ラック１８ａと歯合する歯車２３ａを軸支した第二モータが回動軸１８を上方に向けて配設されており、同第二モータ２３の駆動により前記対向電極１８はリモートコントローラ等の操作により前記ガイドレール２０ａ及び前記ガイドレール２０ｂ上を回動するようになっている。
【００２３】
前記前板４の前面一側には、図２で示すように、前記対向電極１８が通過する前面通過口２４ａと後面通過口２４ｂとを備えたダストボックス２４が設けられており、同ダストボックス２４の内部には前記対向電極１８の内面側に向かい第一ブラシ２５が、外周面側には第二ブラシ２６が夫々配設されている。前記対向電極１８が回動するとこれらブラシは同対向電極１８の網体に付着した塵、埃等の塵埃を除去するようになっている。
【００２４】
次に、動作について説明する。前記高圧電源１１ａから前記放電電極１７に高圧が印加されると、前記電極針１７ｂから前記対向電極１８の最も近い前面側に向けコロナ放電が発生する。前記吸込口７から吸込まれた空気に含有される塵埃はコロナ放電により帯電し、帯電した塵埃は前記集塵フィルター１３を通過する際、これに補集、捕獲されるようになっている。塵埃を除去された空気は続いて前記脱臭フィルター１４により臭気成分を吸着されて清浄化され、前記吸込孔４ａから前記送風室１０に流入する。同送風室１０に流入した清浄化された空気は前記送風ファン１２により前記吹出口８から再び室内に送出されるようになっている。
【００２５】
前記対向電極１８のコロナ放電を受ける前面の部位に塵埃が付着し、これが堆積した場合は、前記第一モータ２１により前記対向電極１８を回動させ、汚れが付着していない新たな部位でコロナ放電を受けるようにすることができる。これによりコロナ放電の電圧が低下し集塵効率がこれとともに低下するように事態を未然に防止できるようになっている。また、前記対向電極１８を前記第二モータ２３により低速で常時回動させ、前記ダストボックス２４により付着した塵埃を除去することにより、常に円滑なコロナ放電を行うこともできるようになっている。
【００２６】
また、前記放電電極１７の電極針１７ｂ先端部が長時間の放電により磨滅、磨耗したような場合は、前記第一モータにより前記軸１６を回動させ、新たな電極針を前面側に向けて前記対向電極１８に対向させることにより電極針の磨耗による放電電圧の低下を防ぐことができるようになっている。
【００２７】
【発明の効果】
以上説明したように、本発明によると、コロナ放電を行うアイオナイザを、回動自在に軸支された軸と、同軸に上下に複数配設された放電電極と、これらの周囲を回動する網体からなり円筒状に形成された対向電極とで構成することにより、汚れあるいは塵埃の付着していない部位で常時安定したコロナ放電を行うことのできる空気清浄器とすることができる。
【図面の簡単な説明】
【図１】本発明による空気清浄器を示す断面図である。
【図２】図１でのＡ−Ａ断面図である。
【図３】従来例による空気清浄器を示す断面図である。
【符号の説明】
１  ベース
２  後部パネル
３  前部パネル
４  前板
４ａ  吸込孔
４ｂ  側板
５  後板
６  仕切板
７  吸込口
８  吹出口
８ａ  風向偏向板
９  前部区画
１０  送風室
１１  電源室
１１ａ  高圧電源
１２  送風ファン
１３  集塵フィルター
１４  脱臭フィルター
１５  アイオナイザ
１６  軸
１７  放電電極
１７ａ  基部
１７ｂ  電極針
１８  対向電極
１８ａ  ラック
１９ａ  上部軸受
１９ｂ  下部軸受
２０ａ  上部ガイドレール
２０ｂ  下部ガイドレール
２１  第一モータ
２３  第二モータ
２３ａ  歯車
２４  ダストボックス
２４ａ  前面通過口
２４ｂ  後面通過口
２５  第一ブラシ
２６  第二ブラシ
【図１】
2004251536.tif 000003
【図２】
2004251536.tif 000004
【図３】
2004251536.tif 000005